(57)【要約】【課題】葉書に好適な印刷を実行することができる印刷用プログラムを提供する。【解決手段】本発明の印刷用プログラムは、葉書５に印刷する所定の情報を使用者に対して入力させる情報入力処理（Ｓ１３）と、情報入力処理（Ｓ１３）において入力された所定の情報を葉書５のカード領域４に印刷させる印刷データを生成する印刷データ生成処理（図５のＳ１７およびＳ１８）と、印刷データ生成処理（図５のＳ１７およびＳ１８）で生成された印刷データを出力するデータ出力処理（図５のＳ１９）とを印刷データ生成装置１に実行させるようになっている。【選択図】図５
2006011583.tif 000002
【特許請求の範囲】
【請求項１】
切り取り線で囲まれた切り離し可能なカード領域を有する葉書に印刷する所定の情報を使用者に対して入力させる情報入力ステップと、
上記情報入力ステップにおいて入力された所定の情報を上記葉書のカード領域に印刷させる印刷データを生成する印刷データ生成ステップと、
上記印刷データ生成ステップで生成された印刷データを出力するデータ出力ステップとをコンピュータ装置に実行させることを特徴とする印刷用プログラム。
【請求項２】
宛先情報を使用者に対して入力させる宛先入力ステップを備え、
上記印刷データ生成ステップにおいて、上記宛先入力ステップで入力された宛先情報を上記カード領域とは異なる宛先印刷領域に印刷させる印刷データを生成する請求項１記載の印刷用プログラム。
【請求項３】
上記情報入力ステップにおいて、上記所定の情報を上記葉書の表面のカード領域および／または上記葉書の裏面のカード領域に入力させ、
上記印刷データ生成ステップにおいて、上記情報入力ステップで上記葉書の表面のカード領域に入力された所定の情報を上記葉書の表面のカード領域に印刷させる第１印刷データを生成する第１印刷データ生成処理および／または上記情報入力ステップで上記葉書の裏面のカード領域に入力された所定の情報を上記葉書の裏面のカード領域に印刷させる第２印刷データを生成する第２印刷データ生成処理を実行する請求項１または２記載の印刷用プログラム。
【請求項４】
使用者に対して上記所定の情報を印刷する葉書のレイアウトを選択させるレイアウト選択ステップを備え、
上記情報入力ステップにおいて、上記所定の情報を上記レイアウト選択ステップで選択されたレイアウトの葉書のカード領域に入力させ、
上記印刷データ生成ステップにおいて、上記情報入力ステップで上記葉書のカード領域に入力された所定の情報を上記葉書のカード領域に印刷させる印刷データを生成する請求項１〜３のいずれか一項に記載の印刷用プログラム。 
【発明の詳細な説明】
【技術分野】
【０００１】
本発明は、印刷データを出力する印刷用プログラムに関するものである。
【背景技術】
【０００２】
従来、勤務先等異動に係る連絡を葉書で受け取った受取人は、連絡内容を差出人の旧名刺に転記する手間があった。
【０００３】
そこで、横幅を名刺の長辺の幅と同一とし、底辺から名刺の短辺の幅と同一の長さの位置に左端から右端までの横一線のミシン目を入れ、ミシン目の上部を通信文の印刷部分、下部を名刺の印刷部分とし、受取人が当該ミシン目で切り離すことにより、上下別々に保管できるようにした葉書が提案されている（例えば、下記の特許文献１参照。）。
【特許文献１】特開２００１−１２１８５３号公報
【発明の開示】
【発明が解決しようとする課題】
【０００４】
しかしながら、上記のような葉書では、ミシン目の上部を通信文の印刷部分とし、下部を名刺の印刷部分としている。したがって、宛先を記載する領域がミシン目の上部に限られるという制限があるため、例えば宛先の住所が長い場合にはその住所が葉書の中央部にまで記載することになり見栄えが悪くなるという問題がある。また、宛先の住所を葉書の右側によせて左側を名刺の印刷部分としたい使用者に対応することができない。
【０００５】
また、上記葉書は、葉書の左端から右端までの横一線のミシン目を入れ、下部を名刺の印刷部分としている。すなわち、印刷部分は、角張った形状になるため、デザイン性に欠け、受取人（特に友達）に上記葉書を差し出しても、喜ばれ難いのが実情である。
【０００６】
また、近年、葉書は、子供の誕生や結婚の記念撮影としてデジタルカメラで撮影された画像が手軽に印刷され差し出されている。しかし、このような葉書には画像やメッセージとともに、郵送後には不必要な受取人の住所や氏名も印刷されているため、受取人は葉書として保管するか、写真として写真帳に入れて保管するかで迷うことが多い。
【０００７】
本発明は、このような事情に鑑みなされたもので、葉書に好適な印刷を実行することができる印刷用プログラムの提供を目的とする。
【課題を解決するための手段】
【０００８】
上記目的を達成するため、本発明の印刷用プログラムは、切り取り線で囲まれた切り離し可能なカード領域を有する葉書に印刷する所定の情報を使用者に対して入力させる情報入力ステップと、上記情報入力ステップにおいて入力された所定の情報を上記葉書のカード領域に印刷させる印刷データを生成する印刷データ生成ステップと、上記印刷データ生成ステップで生成された印刷データを出力するデータ出力ステップとをコンピュータ装置に実行させることを要旨とする。
【発明の効果】
【０００９】
すなわち、本発明の印刷用プログラムによれば、使用者が上記情報入力ステップにおいて、上記葉書に印刷する所定の情報を入力すると、入力された所定の情報を上記葉書のカード領域に印刷させる印刷データを生成し出力する。
【００１０】
例えば、所定の印刷装置が上記印刷データに基づいて印刷を実行するようになっている場合には、使用者は、上記所定の印刷装置で所定の情報を上記葉書のカード領域に印刷することができる。
【００１１】
したがって、差出人は、所定の情報を上記葉書のカード領域に印刷することができ、上記葉書の受取人は、所定の情報が印刷されたカード領域を切り取り線に沿って葉書から切り離して保管しておくことができる。上記所定の情報が、例えば記念写真等の画像情報である場合には、その画像情報が印刷されたカード領域が写真として機能し、写真帳に飾って保管することができる。また、上記所定の情報が、住所、氏名、電話番号等の文字情報である場合には、その文字情報が印刷されたカード領域が名刺として機能し、名刺入れや財布等の携帯用の小物入れに入れておいたり、手帳に挟んでおいて保管しておくことができる。
【００１２】
このように、差出人は、画像や文字により所定の情報を入力し、その所定の情報を上記葉書のカード領域に手軽にかつ適正に印刷装置で印刷することができ、受取人に対して配慮することができる。受取人は、上記葉書から所定の情報が印刷されたカード領域を切り離して手軽に保管しておくことができるため、上記所定の情報をメモ帳や旧名刺に書き写す手間がなくなるとともに、郵送後に不必要になった自分の宛先情報（郵便番号、住所、氏名等）が記載された領域までを保管する必要がなくなる。
【００１３】
本発明の印刷用プログラムにおいて、宛先情報を使用者に対して入力させる宛先入力ステップを備え、上記印刷データ生成ステップにおいて、上記宛先入力ステップで入力された宛先情報を上記カード領域とは異なる宛先印刷領域に印刷させる印刷データを生成する場合には、上記カード領域に宛先情報が印刷されないようにすることができる。したがって、印刷されたカード領域の見栄えがよくなり、カード領域を保管しておく価値が向上する。
【００１４】
本発明の印刷用プログラムにおいて、上記情報入力ステップにおいて、上記所定の情報を上記葉書の表面のカード領域および／または上記葉書の裏面のカード領域に入力させ、上記印刷データ生成ステップにおいて、上記情報入力ステップで上記葉書の表面のカード領域に入力された所定の情報を上記葉書の表面のカード領域に印刷させる第１印刷データを生成する第１印刷データ生成処理および／または上記情報入力ステップで上記葉書の裏面のカード領域に入力された所定の情報を上記葉書の裏面のカード領域に印刷させる第２印刷データを生成する第２印刷データ生成処理を実行する場合には、上記葉書の表面のカード領域および／または上記葉書の裏面のカード領域に所定の情報を印刷することができる。例えば、上記葉書の表面のカード領域に所定の情報として、例えば記念写真等の画像情報を印刷し、上記葉書の裏面のカード領域に所定の情報として、例えば受取人へのメッセージ、差出人の住所、氏名等の文字情報を印刷することができる。これにより、上記葉書の用途が広がるとともに、全体としてデザイン性を一層向上させることができる。
【００１５】
本発明の印刷用プログラムにおいて、使用者に対して上記所定の情報を印刷する葉書のレイアウトを選択させるレイアウト選択ステップを備え、上記情報入力ステップにおいて、上記所定の情報を上記レイアウト選択ステップで選択されたレイアウトの葉書のカード領域に入力させ、上記印刷データ生成ステップにおいて、上記情報入力ステップで上記葉書のカード領域に入力された所定の情報を上記葉書のカード領域に印刷させる印刷データを生成する場合には、使用者は、上記レイアウト選択ステップで印刷したい葉書に対応するレイアウトを選択し、その葉書のカード領域に対して所定の情報を印刷することができる。すなわち、差出人は、本発明の印刷用プログラムで様々なレイアウトのカード領域に所定の情報を印刷することができ、上記葉書を様々な用途に用いることができる。 
【発明を実施するための最良の形態】
【００１６】
つぎに、本発明を実施するための最良の形態を説明する。
【実施例１】
【００１７】
図１は、本発明の印刷用プログラムを実行するコンピュータ装置である印刷データ生成装置の一実施の形態を示す図である。
【００１８】
図１に示すように、印刷データ生成装置１は、切り取り線４ａで囲まれた切り離し可能なカード領域４を有する葉書５に印刷する所定の情報（後述のユーザ画像や文字）を使用者に対して入力させる情報入力手段（後述の入力装置６およびデータベース管理手段１５（図３））と、情報入力手段において入力された所定の情報を葉書５のカード領域４に印刷させる印刷データを生成する印刷データ生成手段１７（図３）と、印刷データ生成手段１７で生成された印刷データを出力するデータ出力手段としての出力手段１９（図３）とを備えている。
【００１９】
この印刷データ生成装置１には、印刷データ生成手段１７で生成された印刷データ（後述の第１印刷データおよび／または第２印刷データ）に基づいて葉書５の印刷を行なう印刷手段である印刷装置３が接続されている。
【００２０】
つぎに、図２を参照して、葉書５の一例について詳しく説明する。
【００２１】
葉書５は、切り取り線４ａで囲まれた切り離し可能なカード領域４を有し、切り取り線４ａに沿ってカード領域４を切り離せるようになっている。
【００２２】
上記切り取り線４ａは、断続的な切れ込み（いわゆるミシン目）からなるものである。このため、カード領域４を切り離す前は、カード領域４が葉書５から容易に切り離されないように保持するとともに、カード領域４の切り離しが必要になったときには、はさみ等を用いることなく、切り取り線４ａに沿って指等でカード領域４を容易に切り離すことができる。
【００２３】
図示のように、本実施例で説明する葉書５のカード領域４は、横長の四角形状で葉書５の下部に形成されている。葉書５のカード領域４のレイアウト（形状、位置、数等）は、これに限定されるものではない。種々のレイアウトの葉書５であっても、それらに対して適切な印刷を実行することができるように、後で図４を参照して説明するレイアウト選択処理（Ｓ１）が実行されるようになっている。
【００２４】
つぎに、図３を参照して、印刷データ生成装置１について詳しく説明する。
【００２５】
上記印刷データ生成装置１は、所定の情報（ユーザ画像や文字を含む）や宛先情報（宛先の郵便番号、住所、氏名等の情報）を入力するための入力手段としての入力装置（例えばキーボードやマウス等）６と、この入力装置６から入力されたデータを受信して各種の制御を行なう制御手段としての制御装置７と、後述のレイアウト選択画像（図６），印刷方向選択画像（図７），表面入力画像（図８），裏面入力画像（図１３）等の各種画像を表示する表示手段としての表示装置８とを備えている。
【００２６】
上記制御装置７は、各種機器の制御を行なう演算装置であるＣＰＵ（Ｃｅｎｔｒａｌ  Ｐｒｏｃｅｓｓｉｎｇ  Ｕｎｉｔ）９と、装置を動作させるためのプログラムや各種データを記憶する記憶装置１１と、本発明の印刷用プログラムの一時的な作業領域ともなるメモリ１３とを含んで構成されている。
【００２７】
上記ＣＰＵ９は、後述のデータベースを管理するデータベース管理手段１５と、後述の第１印刷データ生成手段２３と第２印刷データ生成手段２５とを含む印刷データ生成手段１７と、上記第１印刷データおよび／または上記第２印刷データを出力する出力手段１９と、上記表示装置８の表示を制御する表示制御手段２１としての機能を果たす。
【００２８】
上記データベース管理手段１５は、入力装置６から入力されたデータ（情報）を受信して上記記憶装置１１に書き込みを行ない、また必要に応じて上記記憶装置１１に記憶されたデータの読み込みを行なうようになっている。
【００２９】
上記第１印刷データ生成手段２３は、情報入力ステップとしての後述の第１印刷データ生成処理（図５のＳ１７）で葉書５の表面のカード領域４に入力された所定の情報を葉書５の表面のカード領域４に印刷させる第１印刷データを生成する。生成された第１印刷データは、上記出力手段１９から出力され、上記印刷装置３に入力される。
【００３０】
そして、上記印刷装置３は、上記出力手段１９により出力された第１印刷データに基いて葉書５の印刷を実行するようになっている。
【００３１】
上記第２印刷データ生成手段２５は、情報入力ステップとしての後述の第２印刷データ生成処理（図５のＳ１８）で葉書５の裏面のカード領域４に入力された所定の情報を葉書５の裏面のカード領域４に印刷させる第２印刷データを生成する。生成された第２印刷データは、第１印刷デーと同様に、出力手段１９から出力され、印刷装置３に入力される。
【００３２】
このように、上記出力手段１９により出力された第１印刷データおよび／または第２印刷データに基づいて印刷する印刷装置３を備えることで、使用者（差出人）は、所定の情報や宛先情報を葉書に印刷することができる。
【００３３】
上記記憶装置１１には、型番データ３１、葉書画像データ３３、ユーザ画像データ３５、文字データ３７を蓄積するデータベースが構築されている。このデータベースは、上記データベース管理手段１５により構築されたものである。
【００３４】
上記型番データ（図６に示すＡ０１〜Ａ１２の型番）３１は、カード領域４のレイアウトが異なる複数の葉書５のそれぞれに対して個別に関連づけられた識別情報であり、上記葉書画像データ３３は、識別情報に対応した葉書画像に関するデータであり、上記ユーザ画像データ３５は、使用者が保存した画像やイラスト等に関するデータ（例えば、図１１に示す「記念写真．ｊｐｇ」）であり、上記文字データ３７は、葉書５に出力する文字の種類、色、形状等のフォントデータである。
【００３５】
なお、上記記憶装置１１に、上記第１印刷データ生成手段２３や上記第２印刷データ生成手段２５により生成された印刷データを記憶するデータ記憶手段を設けてもよい。そして、使用者が、任意のその印刷データをデータ記憶手段から読み出して出力できるようにしてもよい。このようにすることにより、使用者は、以前に生成された印刷データを再び使用したい場合、その印刷データを読み出すことができるため、同じ内容の印刷データを作成する手間や時間を省略することができる。
【００３６】
上記葉書画像データ３３は、入力された識別情報に応じて記憶装置１１から抽出されるようになっている。本実施例では、識別情報を直接的に入力するのではなく、型番データ（図６に示すＡ０１〜Ａ１２の型番）３１に対応させてサムネイル表示された葉書画像をマウスで指定してクリック（選択）することで、その識別情報に対応した葉書画像が記憶装置１１から抽出される。これにより、印刷データ生成装置１の使用者は、これから印刷しようとする葉書５と同じレイアウトの葉書画像を後述の印刷方向選択画像（図７）で容易に選択し、その葉書５に対して好みの位置や形状で文字やユーザ画像を入力することができるようになっている。なお、使用者に識別情報を直接的に入力させるようにし、識別情報に対応した葉書画像を記憶装置１１から抽出するようにしてもよい。
【００３７】
上記印刷データ生成装置１は、本発明の印刷データ用プログラムにより動作し、印刷データを出力するようになっている。
【００３８】
上記印刷用プログラムは、葉書５に印刷する所定の情報を使用者に対して入力させる情報入力ステップである情報入力処理（図５のＳ１３）と、入力受付処理において入力された所定の情報を葉書５のカード領域４に印刷させる印刷データを生成する印刷データ生成ステップである印刷データ生成処理（図５のＳ１７，１８）と、印刷データ生成処理で生成された印刷データを出力するデータ出力ステップであるデータ出力処理（図５のＳ１９）とを印刷データ生成装置１（具体的には、ＣＰＵ９）に実行させるようになっている。
【００３９】
つぎに、図４および図５を参照し、印刷データ生成装置１の動作の一例について説明する。ここで、「Ｓ」はステップを意味する。
【００４０】
まず、ＣＰＵ９は、使用者に対して所定の情報を印刷する葉書のレイアウトを選択させるレイアウト選択処理（Ｓ１）を行なう。レイアウト選択処理では、後述のレイアウト選択画像（図６）を表示し、使用者に対してこれから印刷しようとする葉書５と同じレイアウトの葉書画像を選択させるようになっている。
【００４１】
図６に示すように、レイアウト選択画像には、カード領域４のレイアウトが異なる複数の葉書５の葉書画像がサムネイル表示されている。これらの葉書画像のカード領域４は、それぞれ形状、位置、数、大きさ等が異なっている。葉書画像には、左上から順に、Ａ０１〜Ａ１２までの型番が割り当てられている。使用者は、マウス操作により、これらの葉書画像の中から印刷しようとする葉書５と同じレイアウトの葉書画像をポインタ７３で指定してクリックすることで、その葉書画像を選択することができるようになっている。図においては、使用者が印刷する葉書５と同じレイアウトの葉書画像（図示の左上の葉書画像）が選択されている様子を示している。
【００４２】
レイアウト選択画像には、本プログラムを終了させるための「終了」ボタン５１が表示されている。上記のような画像に表示されるボタンは、マウスでクリック（選択操作）されることで機能する。
【００４３】
複数の葉書画像のうちいずれかが選択されると、ＣＰＵ９は、レイアウト選択処理（Ｓ１）を終了し、Ｓ２に進む。
【００４４】
図４に示すように、レイアウト選択処理（Ｓ１）が終了すると、ＣＰＵ９は、使用者に対して葉書５の印刷方向を選択させる印刷方向選択処理を行なう（Ｓ２）。印刷方向選択処理では、印刷方向選択画像（図７）を表示し、レイアウト選択処理（Ｓ１）で選択した葉書５の印刷方向を選択させるようになっている。
【００４５】
図７に示すように、印刷方向選択画像には、レイアウト選択画像で選択された葉書画像が複数表示されている。これらの葉書画像は、それぞれ異なる向き（図示では縦向きや横向き）に表示されている。使用者は、これらの葉書画像の中から所望の葉書画像を選択することができ、選択した葉書画像と同じような印刷方向で所定の画像や宛先情報を印刷することができるようになっている。図においては、使用者が印刷する葉書５と同じレイアウトの葉書画像（図示の左の葉書画像）が選択されている様子を示している。
【００４６】
印刷方向選択画像には、上記「終了」ボタン５１と、直前の画像（ここでは、図６に示すレイアウト選択画像）を表示させるための「戻る」ボタン５３とが表示されている。
【００４７】
複数の葉書画像のいずれかが選択されると、ＣＰＵ９は、印刷方向選択処理（Ｓ２）を終了し、Ｓ３に進む。
【００４８】
図４に示すように、印刷方向選択処理（Ｓ２）が終了すると、後で図５を参照して説明する入力受付処理を行なう（Ｓ３）。
【００４９】
図５に示すように、入力受付処理では、まず、ＣＰＵ９は、レイアウト選択処理（Ｓ１）で選択されたレイアウトおよび印刷方向選択処理（Ｓ２）で選択された印刷方向に基づいて表面入力画像（図８）を表示する。
【００５０】
図８に示すように、表面入力画像には、使用者に対して宛先の郵便番号を入力させる郵便番号入力領域５５、使用者に対して宛先の住所を入力させる住所入力領域５７、使用者に対して宛先の氏名を入力させる氏名入力領域５９等の宛先情報入力領域が表示されている。
【００５１】
また、表面入力画像には、使用者が葉書５に所望のユーザ画像を印刷するための「画像貼付」ボタン６１、使用者が葉書５に所望の文字を印刷するための「文字入力」ボタン６３、後述の裏面入力画像（図１３）を表示させるための「裏面入力」ボタン６５、使用者が印刷データを出力させるための「印刷」ボタン６７、上記と同様な機能を果たす「戻る」ボタン５３や「終了」ボタン５１が表示されている。
【００５２】
さらに、表面入力画像には、印刷イメージを表示する印刷イメージ表示領域７１が表示されている。図示の印刷イメージ表示領域７１には、レイアウト選択処理（Ｓ１）で選択されたレイアウトおよび印刷方向選択処理（Ｓ２）で選択された印刷方向に基づいて葉書画像が表示されている。
【００５３】
図５に示すように、表面入力画像（図８）を表示すると（Ｓ１１）、ＣＰＵ９は、宛先の郵便番号，住所，氏名等の宛先情報を使用者に対して入力させる宛先入力ステップとしての宛先入力処理を行ない（Ｓ１２）、葉書５に印刷する宛先情報や所定の情報を使用者に対して入力させる情報入力処理（Ｓ１３）を行なう。
【００５４】
図８に示すように、宛先入力処理では、使用者に対して、入力したい宛先情報入力領域をポインタ７３で選択させ、その選択された宛先情報入力領域にキーボード等で宛先情報を入力させるようになっている。
【００５５】
図８は、郵便番号入力領域５５に宛先の郵便番号が入力された後、住所入力領域５７が選択され、その領域にキーボード等で宛先の住所が入力されている様子を示している。宛先情報入力領域に入力された情報は、印刷イメージ表示領域７１に反映されるようになっている。
【００５６】
図９に示すように、葉書５の表面の印刷領域は、各宛先情報入力領域に対応して区分されている。具体的には、印刷領域は、郵便番号入力領域５５に入力された郵便番号が印刷される郵便番号印刷領域８１、住所入力領域５７に入力された住所が印刷される住所印刷領域８３、および氏名入力領域５９に入力された氏名が印刷される氏名印刷領域８５を含んで構成される宛先印刷領域と、切手を貼付される切手貼付領域８７と、これら以外の領域であり、所定の情報（ユーザ画像や文字）を入力する情報印刷領域８９とに区分されている。本実施例では、葉書５の裏面の印刷領域は、全て情報印刷領域８９としている。
【００５７】
切手貼付領域８７は、切手が貼付される領域として設定された印刷不許可領域である。
【００５８】
印刷イメージ表示領域７１に表示される情報印刷領域８９は、印刷イメージ表示領域７１上で所定の情報を入力する情報入力領域９０として機能する。これにより、情報入力領域９０に対して所定の情報が入力されることで、情報入力領域９０に入力された所定の情報と同じ態様（位置、大きさ、色、形状等）で情報印刷領域８９に印刷されるようになっている。すなわち、印刷時には、印刷イメージ表示領域７１と同じような態様で葉書５に印刷される。
【００５９】
図１０に示すように、「画像貼付」ボタン６１が選択されると、使用者に対して情報入力領域９０内でユーザ画像を印刷したい範囲をポインタ７３で指定させるようになっている。図示では、印刷したい範囲が上記葉書のカード領域からはみだすように指定されている。範囲が指定されると、使用者に対してユーザ画像を選択させるユーザ画像選択画像（図１１）が表示される。
【００６０】
図１１に示すように、使用者は、表示されたユーザ画像選択画像（選択ウィンドウ）を参照して、記憶装置１１のディレクトリからユーザ画像が格納されているファイル（図示では「記念写真．ｊｐｇ」）を開けることで、そのユーザ画像を選択することができる。
【００６１】
図１２に示すように、選択されたユーザ画像は、指定された範囲になるように自動的に拡大または縮小され、その範囲に貼付されたように、印刷イメージ表示領域７１に表示される。
【００６２】
上記のように、ユーザ画像がカード領域４からはみだすように指定されているため、上記印刷データ生成処理（図５のＳ１７およびＳ１８）において、情報入力処理（Ｓ１３）で入力された所定の情報を葉書５のカード領域４からはみだすよう印刷させる印刷データを生成するようになっている。これにより、いわゆる「ふちなし」のカード領域４を印刷することができる。
【００６３】
図では、「裏面入力」ボタン６５が選択されている様子を示している。「裏面入力」ボタン６５を選択することで、裏面入力画像（図１３）が表示され、所定の情報を葉書５の裏面のカード領域４にも入力できるようになっている。
【００６４】
図５に示すように、入力受付処理（Ｓ３）が行なわれている間、ＣＰＵ９は、「終了」ボタン５１が操作されたか否かを判別する（Ｓ１４）。ここで、「終了」ボタン５１が操作されると（Ｓ１４で“ＹＥＳ”）、本プログラムを終了し、「終了」ボタン５１が操作されていないと（Ｓ１４で“ＮＯ”）、Ｓ１５に進む。すなわち、ＣＰＵ９は、表面入力画像が表示されている間に「終了」ボタン５１が操作されたか否かを監視している。ここで、後述の裏面入力画像が表示されている場合には、その裏面入力画像が表示されている間に「終了」ボタン５１が操作されたか否かを監視する。
【００６５】
「終了」ボタン５１が操作されていないと（Ｓ１４で“ＮＯ”）、ＣＰＵ９は、「印刷」ボタン６７が操作されたか否かを判別する（Ｓ１５）。ここで、「印刷」ボタン６７が操作されると（Ｓ１５で“ＹＥＳ”）、Ｓ１６に進み、「印刷」ボタン６７が操作されていないと（Ｓ１５で“ＮＯ”）、Ｓ２０に進む。すなわち、ＣＰＵ９は、表面入力画像が表示されている間に「印刷」ボタン６７が操作されたか否かを監視している。後述の裏面入力画像が表示されている場合には、その裏面入力画像が表示されている間に「印刷」ボタン６７が操作されたか否かを監視する。
【００６６】
「印刷」ボタン６７が操作されると（Ｓ１５で“ＹＥＳ”）、ＣＰＵ９は、操作された「印刷」ボタン６７が表面入力画像の「印刷」ボタン６７であるか否かを判別する（Ｓ１６）。ここで、表面入力画像の「印刷」ボタン６７であると（Ｓ１６で“ＹＥＳ”）、Ｓ１７に進み、表面入力画像の「印刷」ボタン６７でないと（Ｓ１６で“ＮＯ”）、Ｓ１８に進む。
【００６７】
操作された「印刷」ボタン６７が表面入力画像の「印刷」ボタン６７であると（Ｓ１６で“ＹＥＳ”）、情報入力処理（Ｓ１３）で葉書５の表面のカード領域４に入力された所定の情報を葉書５の表面のカード領域４に印刷させる第１印刷データを生成する第１印刷データ生成処理（Ｓ１７）を行ない、Ｓ１９に進む。
【００６８】
第１印刷データ生成処理（Ｓ１７）により生成される第１印刷データは、宛先情報入力領域に入力された宛先情報をそれぞれ対応する宛先印刷領域に印刷させる宛先情報印刷データを含む。
【００６９】
宛先情報と所定の情報が入力されると、第１印刷データ生成処理（Ｓ１７）において、上記宛先入力処理（Ｓ１２）で入力された宛先情報をカード領域４とは異なる宛先印刷領域に印刷させる印刷データを生成するようになっている。これにより、上記カード領域４に宛先情報が印刷されないようにすることができる。したがって、印刷されたカード領域４の見栄えがよくなり、カード領域４を保管しておく価値が向上する。
【００７０】
操作された「印刷」ボタン６７が裏面入力画像の「印刷」ボタン６７であると（Ｓ１６で“ＮＯ”）、情報入力処理（Ｓ１３）で葉書５の裏面のカード領域４に入力された所定の情報を葉書５の裏面のカード領域４に印刷させる第２印刷データを生成する第２印刷データ生成処理（Ｓ１８）を行ない、Ｓ１９に進む。
【００７１】
葉書５のカード領域４に所定の情報が入力されなかった場合は、印刷データには、その旨を示す印刷データが含まれる。
【００７２】
印刷データ生成処理（Ｓ１７またはＳ１８）で印刷データが生成されると、ＣＰＵ９は、その生成された印刷データを出力するデータ出力処理（Ｓ１９）を行なう。データ出力処理では、第１印刷データ生成処理（Ｓ１７）で第１印刷データが生成されると、その第１印刷データを印刷装置３に送信し、第１印刷データに基づいて印刷を実行させる。また、データ出力処理では、第２印刷データ生成処理（Ｓ１８）で第２印刷データが生成されると、その第２印刷データを印刷装置３に送信し、第２印刷データに基づいて印刷を実行させる。
【００７３】
データ出力処理（Ｓ１９）が終了すると、ＣＰＵ９は、宛先入力処理（Ｓ１２）に戻る。したがって、使用者は、所定の情報を選択したレイアウトの葉書５の表面に印刷したり、裏面に印刷することができる。これにより、例えば、まず宛先情報や所定の情報を葉書５の表面に印刷し、レイアウトを選択し直すことなく、つづけて、その葉書５の裏面にメッセージ等の文字情報（文字）を印刷することができる。
【００７４】
上記Ｓ１５の説明に戻って、「印刷」ボタン６７が操作されていないと（Ｓ１５で“ＮＯ”）、ＣＰＵ９は、「裏面入力」ボタン６５が操作されたか否かを判別する（Ｓ２０）。ここで、「裏面入力」ボタン６５が操作されると（Ｓ２０で“ＹＥＳ”）、Ｓ２１に進み、「裏面入力」ボタン６５が操作されていないと（Ｓ２０で“ＮＯ”）、Ｓ２２に進む。
【００７５】
「裏面入力」ボタン６５が操作されると（Ｓ２０で“ＹＥＳ”）、ＣＰＵ９は、入力画像を切り替える（Ｓ２１）。具体的には、例えば現在、表面入力画像が表示されている場合には裏面入力画像を表示し、裏面入力画像が表示されている場合には表面入力画像を表示する。この後、ＣＰＵ９は、宛先入力処理（Ｓ１２）に戻る。
【００７６】
「裏面入力」ボタン６５が操作されていないと（Ｓ２０で“ＮＯ”）、ＣＰＵ９は、「戻る」ボタン５３が操作されたか否かを判別する（Ｓ２２）。ここで、「戻る」ボタン５３が操作されると（Ｓ２２で“ＹＥＳ”）、印刷方向選択処理（Ｓ２）に戻り、「戻る」ボタン５３が操作されていないと（Ｓ２２で“ＮＯ”）、宛先入力処理（Ｓ１２）に戻る。
【００７７】
図１３に示すように、裏面入力画像には、上述と同じ機能を果たす「画像貼付」ボタン６１、「文字入力」ボタン６３、「戻る」ボタン５３、「印刷」ボタン６７、「終了」ボタン５１、および印刷イメージ表示領域７１と「表面入力」ボタン９１が表示される。
【００７８】
「表面入力」ボタン９１を操作することで、表面入力画像が表示され、印刷イメージ表示領域７１には、葉書５の裏面の印刷イメージが表示されるようになっている。図においては、「文字入力」ボタン６３が選択されている様子を示している。
【００７９】
このように、Ｓ２１で表面入力画像から裏面入力画像に切り替えられて、宛先入力処理（Ｓ１２）に戻るため、使用者は、葉書５の裏面にも所定の画像を引き続き入力することができる。
【００８０】
すなわち、入力受付処理（Ｓ３）において、所定の情報を葉書５の表面のカード領域４および／または葉書５の裏面のカード領域４に入力させるようになっている。そして、上記印刷データ生成処理（Ｓ１７およびＳ１８）において、情報入力処理（Ｓ１３）で葉書５の表面のカード領域４に入力された所定の情報を葉書５の表面のカード領域４に印刷させる第１印刷データを生成する第１印刷データ生成処理（Ｓ１７）および／または情報入力処理（Ｓ１３）で葉書５の裏面のカード領域４に入力された所定の情報を葉書５の裏面のカード領域４に印刷させる第２印刷データを生成する第２印刷データ生成処理（Ｓ１８）を実行するようになっている。
【００８１】
したがって、葉書５の表面のカード領域４および／または葉書５の裏面のカード領域４に所定の情報を印刷することができる。例えば、葉書５の表面のカード領域４に所定の情報として、上記のような記念写真等の画像情報を印刷し、葉書５の裏面のカード領域４に所定の情報として、受取人へのメッセージ、差出人の住所、氏名等の文字情報を印刷することができる。これにより、葉書５の用途が広がるとともに、カード領域４全体としてデザイン性を一層向上させることができる。
【００８２】
図１４に示すように、裏面入力画像の「文字入力」ボタン６３が操作されると、使用者に対して、情報印刷領域８９に対応する情報入力領域９０内で印刷したい範囲をポインタ７３で指定させ、その範囲内で文字を入力させるようになっている。使用者は、入力した文字のフォントを変更できるようになっている。図示していないが、葉書５の表面に対しても同様に文字を入力することができ、同じ面に画像と文字を配置することもできる。
【００８３】
図１５に示すように、「印刷」ボタン６７が操作されると、印刷イメージと同じ態様で葉書５に所定の情報や宛先情報を印刷することができる。第１印刷データに基づいて印刷されると、図１５（Ａ）に示すように、カード領域４の表面のカード領域４にユーザ画像が印刷され、各宛先印刷領域に宛先情報がそれぞれ印刷される。
【００８４】
第１印刷データに基づいて印刷されると、図１５（Ｂ）に示すように、カード領域４の裏面にメッセージが印刷された葉書５を宛先に届けることができる。葉書の受取人は、カード領域４を葉書５から切り離す（切り抜く）ことで、写真として用いたり、画像付きメッセージカードとして用いたり、名刺として用いることができる。
【００８５】
このように、本発明の印刷用プログラムによれば、使用者が情報入力処理（Ｓ１３）において、葉書５に印刷する所定の情報を入力すると、入力された所定の情報を葉書５のカード領域４に印刷させる印刷データを生成し出力する。
【００８６】
そして、所定の印刷装置３が印刷データに基づいて印刷を実行するようになっているため、使用者は、印刷装置３で所定の情報を葉書のカード領域４に印刷することができる。
【００８７】
したがって、差出人は、所定の情報を葉書５のカード領域４に印刷することができ、葉書５の受取人は、所定の情報が印刷されたカード領域４を切り取り線に沿って葉書５から切り離して保管しておくことができる。所定の情報が、上記のように記念写真等の画像情報である場合には、その画像情報が印刷されたカード領域４が写真として機能し、写真帳に飾って保管することができる。また、所定の情報が、住所、氏名、電話番号等の文字情報である場合には、その文字情報が印刷されたカード領域４が名刺として機能し、名刺入れや財布等の携帯用の小物入れに入れておいたり、手帳に挟んでおいて保管しておくことができる。
【００８８】
このように、差出人は、画像や文字により所定の情報を入力し、その所定の情報を葉書５のカード領域４に手軽にかつ適正に印刷装置３で印刷することができ、受取人に対して配慮することができる。受取人は、葉書５から所定の情報が印刷されたカード領域４を切り離して手軽に保管しておくことができるため、所定の情報をメモ帳や旧名刺に書き写す手間がなくなるとともに、郵送後に不必要になった自分の宛先情報（郵便番号、住所、氏名等）が記載された領域までを保管する必要がなくなる。また、このように、１枚の葉書５が印刷内容に応じて多くの機能を果たすことができるため、便利である。
【００８９】
また、情報入力処理（Ｓ１３）において、所定の情報をレイアウト選択処理（Ｓ１）で選択されたレイアウトの葉書５のカード領域４に入力させ、印刷データ生成処理（図５のＳ１７およびＳ１８）において、上記情報入力処理（Ｓ１３）で葉書５のカード領域４に入力された所定の情報を葉書５のカード領域４に印刷させる印刷データを生成するようになっているため、使用者は、レイアウト選択処理（Ｓ１）で印刷したい葉書５に対応するレイアウトを選択し、その葉書５のカード領域４に対して所定の情報を印刷することができる。すなわち、差出人は、本発明の印刷用プログラムで様々なレイアウトのカード領域４に所定の情報を印刷することができ、上記葉書５を様々な用途に用いることができる。
【００９０】
なお、本実施例では、葉書５は、単体で用いられているが、同時に複数で用いられてもよい。また、上記カード領域の大きさは、名刺やカードサイズに限られず、任意の大きさが採用できる。また、上記カード領域の形状も四角形に限られず、三角形，五角形等の多角形や円形（楕円を含む）、雲形等の任意の形状を採用できる。このようにすることにより、葉書の用途が広がるとともに、様々な差出人の趣向に応じることができる。
【００９１】
例えば、図１６に示すように、葉書５は、印刷用紙１０１に保持されていてもよい。例えば、複数の葉書５が、１枚の印刷用紙１０１にそれぞれ切り取り線４ａで囲まれ切り離し可能に形成されていてもよい。この場合、使用者に対してレイアウト選択処理（Ｓ１）で上記のような印刷用紙１０１を選択できるようにしてもよい。そして、印刷用紙１０１が選択された場合、一度の印刷で所定の画像が印刷用紙１０１に保持される複数の葉書５のカード領域４に印刷されるようにしてもよい。このようにすることにより、一度に大量の葉書５を印刷することができ、葉書５の印刷時間を短縮することができ好適である。
【００９２】
なお、印刷装置３は、印刷データ生成装置１の設置場所と離れた場所に設置されていてもよい。例えば、この場合、印刷装置３は、上記印刷データ生成装置１から電話回線等の通信回線を経由してＬＡＮ或いはインターネットのようなネットワークを介して第１印刷データおよび／または第２印刷データを受信可能な受信装置（例えば、コンピュータ装置）と接続されていてもよい。このようにすることで、上記印刷データ生成装置１から出力された第１印刷データおよび／または第２印刷データは、ネットワークを介して受信装置に受信され、上記印刷装置３に入力されるようになる。
【００９３】
本発明のプログラムは、コンピュータに付属するフレキシブルディスク、ＣＤ−ＲＯＭ（Ｃｏｍｐａｃｔ  Ｄｉｓｃ−Ｒｅａｄ  Ｏｎｌｙ  Ｍｅｍｏｒｙ）、ＲＯＭ、ＲＡＭおよびメモリカード等のコンピュータ読取り可能な記録媒体に記録させて、プログラム製品として提供することもできる。あるいは、コンピュータに内蔵するハードディスク等の記録媒体に記録させて、プログラムを提供することもできる。また、電気通信回線や衛星通信回線等のネットワークを通じて、プログラムを提供することもできる。提供されるプログラム製品は、ハードディスク等のプログラム格納部にインストールされて実行される。なお、プログラム製品は、プログラム自体と、プログラムが記録された記録媒体とを含む。
【産業上の利用可能性】
【００９４】
本発明のプログラムにより生成される印刷データは、フレキシブルディスク、ＣＤ−ＲＯＭ、ＲＯＭ、ＲＡＭおよびメモリカード等のコンピュータ読取り可能な記録媒体に記録させて、提供することもできる。あるいは、コンピュータに内蔵するハードディスク等の記録媒体に記録させて、提供することもできる。また、電気通信回線や衛星通信回線等のネットワークを通じて、提供することもできる。提供される印刷データは、記録媒体やハードディスク等のデータ格納部に格納されて印刷装置に印刷を実行させる用途に用いることができる。
【図面の簡単な説明】
【００９５】
【図１】本発明の印刷用プログラムを実行する印刷データ生成装置を示す図である。
【図２】カード領域を有する葉書を示す図である。
【図３】印刷データ生成装置のシステム構成図である。
【図４】印刷データ生成装置の制御処理を示すフローチャートである。
【図５】入力受付処理を示すフローチャートである。
【図６】レイアウト選択画像を示す図である。
【図７】印刷方向選択画像を示す図である。
【図８】表面入力画像を示す図である。
【図９】葉書の印刷領域を示す図である。
【図１０】表面入力画像を示す図である。
【図１１】ユーザ画像の選択を示す図である。
【図１２】表面入力画像を示す図である。
【図１３】裏面入力画像を示す図である。
【図１４】裏面入力画像を示す図である。
【図１５】印刷された葉書を示す図である。
【図１６】印刷用紙を示す図である。
【符号の説明】
【００９６】
１      印刷データ生成装置
３      印刷装置
４      カード領域
４ａ    切り取り線
５      葉書
６      入力装置
７      制御装置
８      表示装置
９      ＣＰＵ
１１    記憶装置
１３    メモリ
１５    データベース管理手段
１７    印刷データ生成手段
１９    出力手段
２１    表示制御手段
２３    第１印刷データ生成手段
２５    第２印刷データ生成手段
３１    型番データ
３３    葉書画像データ
３５    ユーザ画像データ
３７    文字データ
５１    「終了」ボタン
５３    「戻る」ボタン
５５    郵便番号入力領域
５６    「前夜版入力」選択領域
５７    住所入力領域
５９    氏名入力領域
６１    「画像貼付」ボタン
６３    「文字入力」ボタン
６５    「裏面入力」ボタン
６７    「印刷」ボタン
７１    印刷イメージ表示領域
７３    ポインタ
８１    郵便番号印刷領域
８３    住所印刷領域
８５    氏名印刷領域
８７    切手貼付領域
８９    情報印刷領域
９０    情報入力領域
９１    「表面入力」ボタン
１０１  印刷用紙
１０３  切り取り線
【図１】
2006011583.tif 000003
【図２】
2006011583.tif 000004
【図３】
2006011583.tif 000005
【図４】
2006011583.tif 000006
【図５】
2006011583.tif 000007
【図６】
2006011583.tif 000008
【図７】
2006011583.tif 000009
【図８】
2006011583.tif 000010
【図９】
2006011583.tif 000011
【図１０】
2006011583.tif 000012
【図１１】
2006011583.tif 000013
【図１２】
2006011583.tif 000014
【図１３】
2006011583.tif 000015
【図１４】
2006011583.tif 000016
【図１５】
2006011583.tif 000017
【図１６】
2006011583.tif 000018